(57)【要約】【課題】後突時におけるエネルギ吸収性能を高めて車室内の乗員の安全性を向上させることができる車両の後部車体構造を提供する。【解決手段】リヤサイドフレーム２の下方に配設されるリヤサブフレーム７０は、車体後方側の潰れ変形許容部８５と車体前方側の潰れ変形非許容部８６とを備えている。リヤサイドフレーム２の後端部とリヤサブフレーム７０の後端部とがプレート部材８，５２，５３を介して連結されると共に、リヤサイドフレーム２の後端部より車体前方側とリヤサブフレーム７０の後端部より車体前方側とを接続するフレーム接続部５４，５５，５６が設けられ、フレーム接続部５４は、リヤサイドフレーム２とリヤサブフレーム７０の潰れ変形非許容部８６とを接続するように設けられる。【選択図】図２
2018039314.tif 000002
【特許請求の範囲】
【請求項１】
車体後部において車体前後方向に延びる左右一対のリヤサイドフレームと、前記左右一対のリヤサイドフレームの下方に配設されて前記左右一対のリヤサイドフレームに沿って車体前後方向に延びるリヤサブフレームとを備えた車両の後部車体構造であって、
前記リヤサブフレームは、車体後方側に設けられて車体後方からの衝撃荷重の作用時に潰れ変形することを許容する潰れ変形許容部と、該潰れ変形許容部の車体前方側に設けられた潰れ変形非許容部とを備え、
前記リヤサイドフレームの後端部と前記リヤサブフレームの後端部とがプレート部材を介して連結されると共に、前記リヤサイドフレームの後端部より車体前方側と前記リヤサブフレームの後端部より車体前方側とを接続するフレーム接続部が設けられ、
前記フレーム接続部は、前記リヤサイドフレームと前記リヤサブフレームの潰れ変形非許容部とを接続するように設けられている、
ことを特徴とする車両の後部車体構造。
【請求項２】
前記リヤサイドフレームは、車体後方側に設けられて車体後方からの衝撃荷重の作用時に潰れ変形することを許容する潰れ変形許容部と、該潰れ変形許容部の車体前方側に設けられた潰れ変形非許容部とを備え、
前記フレーム接続部は、前記リヤサイドフレームの潰れ変形非許容部と前記リヤサブフレームの潰れ変形非許容部とを接続するように設けられている、
ことを特徴とする請求項１に記載の車両の後部車体構造。
【請求項３】
前記リヤサブフレームは、前記リヤサイドフレームに沿って車体前後方向に略水平方向に延びる上側水平フレームと、該上側水平フレームの前端部から下方に略垂直方向に延びる垂直フレームと、該垂直フレームの下端部に接続されて車体前方側に略水平方向に延びる下側水平フレームとを備え、
前記上側水平フレームの前端部より車体後方側と前記垂直フレームの上端部より車体下方側とを接続する架橋部が設けられている、
ことを特徴とする請求項１又は請求項２に記載の車両の後部車体構造。
【請求項４】
前記リヤサブフレームの車体前方側にバッテリを支持するバッテリフレームが配設され、
前記リヤサブフレームの車体前方側が前記バッテリフレームと接続されている、
ことを特徴とする請求項１から請求項３の何れか１項に記載の車両の後部車体構造。
【請求項５】
前記リヤサイドフレームの後端部より車体前方側と前記リヤサブフレームの後端部より車体前方側とを接続する複数のフレーム接続部が設けられ、
前記複数のフレーム接続部は、車体前後方向に略一定間隔で配置され、
少なくとも１つの前記フレーム接続部は、前記リヤサイドフレームと前記リヤサブフレームの潰れ変形非許容部とを接続するように設けられている、
ことを特徴とする請求項１から請求項４の何れか１項に記載の車両の後部車体構造。
【発明の詳細な説明】
【技術分野】
【０００１】
本発明は、車両の後部車体構造に関し、特にリヤサイドフレームとリヤサブフレームとを備えた車両の後部車体構造に関する。
【背景技術】
【０００２】
自動車等の車両では、車体後部において車幅方向に延びるリヤバンパレインと車体前後方向に延びるリヤサイドフレームとの間にクラッシュカンを介装させ、後面衝突（後突）時に車体後方から衝撃荷重が作用するときに、クラッシュカンを折り畳むように潰れ変形させてエネルギを吸収させるようにしたものが知られている。
【０００３】
また、車体後部に配設されるリヤサブフレームを用いて後突時におけるエネルギ吸収性能を向上させるものが知られており、例えば特許文献１には、リヤサイドフレームの下方にリヤサブフレームが配設された車両において、後突時に車体後方から衝撃荷重が作用するときに、リヤサイドフレームに加えてリヤサブフレームを通じて荷重を伝達させてエネルギ吸収性能を向上させるものが開示されている。
【先行技術文献】
【特許文献】
【０００４】
【特許文献１】特開２０１６−４３８２９号公報
【発明の概要】
【発明が解決しようとする課題】
【０００５】
近年、自動車等の車両では、後突時における車室内の乗員の安全性を向上させるために、後突時におけるエネルギ吸収性能をさらに向上させることが求められており、車体後部にリヤサイドフレームが配設されると共にリヤサイドフレームの下方にリヤサブフレームが配設される車両においても、後突時に車体後方から衝撃荷重が作用するときにエネルギ吸収性能を高めることが求められている。
【０００６】
そこで、本発明は、リヤサイドフレームとリヤサブフレームとを備えた車両において、後突時におけるエネルギ吸収性能を高めて車室内の乗員の安全性を向上させることができる車両の後部車体構造を提供することを課題とする。
【課題を解決するための手段】
【０００７】
前記課題を解決するため、本発明は、次のように構成したことを特徴とする。
【０００８】
まず、本願の請求項１に記載の発明は、車体後部において車体前後方向に延びる左右一対のリヤサイドフレームと、前記左右一対のリヤサイドフレームの下方に配設されて前記左右一対のリヤサイドフレームに沿って車体前後方向に延びるリヤサブフレームとを備えた車両の後部車体構造であって、前記リヤサブフレームは、車体後方側に設けられて車体後方からの衝撃荷重の作用時に潰れ変形することを許容する潰れ変形許容部と、該潰れ変形許容部の車体前方側に設けられた潰れ変形非許容部とを備え、前記リヤサイドフレームの後端部と前記リヤサブフレームの後端部とがプレート部材を介して連結されると共に、前記リヤサイドフレームの後端部より車体前方側と前記リヤサブフレームの後端部より車体前方側とを接続するフレーム接続部が設けられ、前記フレーム接続部は、前記リヤサイドフレームと前記リヤサブフレームの潰れ変形非許容部とを接続するように設けられていることを特徴とする。
【０００９】
また、請求項２に記載の発明は、前記請求項１に記載の発明において、前記リヤサイドフレームは、車体後方側に設けられて車体後方からの衝撃荷重の作用時に潰れ変形することを許容する潰れ変形許容部と、該潰れ変形許容部の車体前方側に設けられた潰れ変形非許容部とを備え、前記フレーム接続部は、前記リヤサイドフレームの潰れ変形非許容部と前記リヤサブフレームの潰れ変形非許容部とを接続するように設けられていることを特徴とする。
【００１０】
また、請求項３に記載の発明は、前記請求項１又は請求項２に記載の発明において、前記リヤサブフレームは、前記リヤサイドフレームに沿って車体前後方向に略水平方向に延びる上側水平フレームと、該上側水平フレームの前端部から下方に略垂直方向に延びる垂直フレームと、該垂直フレームの下端部に接続されて車体前方側に略水平方向に延びる下側水平フレームとを備え、前記上側水平フレームの前端部より車体後方側と前記垂直フレームの上端部より車体下方側とを接続する架橋部が設けられていることを特徴とする。
【００１１】
また、請求項４に記載の発明は、前記請求項１から請求項３の何れか１項に記載の発明において、前記リヤサブフレームの車体前方側にバッテリを支持するバッテリフレームが配設され、前記リヤサブフレームの車体前方側が前記バッテリフレームと接続されていることを特徴とする。
【００１２】
また、請求項５に記載の発明は、前記請求項１から請求項４の何れか１項に記載の発明において、前記リヤサイドフレームの後端部より車体前方側と前記リヤサブフレームの後端部より車体前方側とを接続する複数のフレーム接続部が設けられ、前記複数のフレーム接続部は、車体前後方向に略一定間隔で配置され、少なくとも１つの前記フレーム接続部は、前記リヤサイドフレームと前記リヤサブフレームの潰れ変形非許容部とを接続するように設けられていることを特徴とする。
【発明の効果】
【００１３】
本願の請求項１に記載の発明によれば、リヤサイドフレームの下方に配設されるリヤサブフレームには、車体後方側の潰れ変形許容部と車体前方側の潰れ変形非許容部とが備えられ、リヤサイドフレームの後端部とリヤサブフレームの後端部とがプレート部材を介して連結されると共に、リヤサイドフレームの後端部より車体前方側とリヤサブフレームの後端部より車体前方側とを接続するフレーム接続部が設けられ、フレーム接続部は、リヤサイドフレームとリヤサブフレームの潰れ変形非許容部とを接続するように設けられる。
【００１４】
これにより、後突時に、車体後方からの衝撃荷重の作用時にリヤサイドフレーム及びリヤサブフレームに荷重が入力される際に、フレーム接続部はリヤサイドフレームとリヤサブフレームの潰れ変形非許容部とを接続するように設けられているので、フレーム接続部によってリヤサイドフレームとリヤサブフレームとが分離することを抑制してリヤサイドフレーム及びリヤサブフレームを車体後方側から潰れ変形させることができ、後突時におけるエネルギ吸収性能を高めて車室内の乗員の安全性を高めることができる。
【００１５】
また、請求項２に記載の発明によれば、リヤサイドフレームは、車体後方側の潰れ変形許容部と車体前方側の潰れ変形非許容部とを備え、フレーム接続部は、リヤサイドフレームの潰れ変形非許容部とリヤサブフレームの潰れ変形非許容部とを接続するように設けられる。
【００１６】
これにより、後突時に、車体後方からの衝撃荷重の作用時にリヤサイドフレーム及びリヤサブフレームに荷重が入力される際に、フレーム接続部はリヤサイドフレームの潰れ変形非許容部とリヤサブフレームの潰れ変形非許容部とを接続するように設けられているので、フレーム接続部によってリヤサイドフレームとリヤサブフレームとが分離することを抑制してリヤサイドフレーム及びリヤサブフレームを車体後方側から潰れ変形させることができ、後突時におけるエネルギ吸収性能を高めて車室内の乗員の安全性を高めることができる。
【００１７】
また、請求項３に記載の発明によれば、リヤサブフレームは、上側水平フレームと、上側水平フレームの前端部から下方に延びる垂直フレームと、垂直フレームの下端部に接続されて車体前方側に延びる下側水平フレームとを備え、上側水平フレームの前端部より車体後方側と垂直フレームの上端部より車体下方側とを接続する架橋部が設けられる。
【００１８】
これにより、後突時に、車体後方からの衝撃荷重の作用時にリヤサブフレームに荷重が入力される際に、上側水平フレームに入力される荷重を、上側水平フレームから架橋部を通じて垂直フレームに伝達して分散させることができるので、上側水平フレームと垂直フレームとの間の角部を通じて伝達される荷重を低減して上側水平フレームと垂直フレームとの間の角部が変形することを抑制することができる。
【００１９】
また、請求項４に記載の発明によれば、リヤサブフレームの車体前方側にバッテリフレームが配設され、リヤサブフレームの車体前方側がバッテリフレームと接続されることにより、後突時にリヤサブフレームに入力される荷重をバッテリフレームに伝達して分散させることができ、前記効果をより有効に奏することができる。
【００２０】
また、請求項５に記載の発明によれば、リヤサイドフレームの後端部より車体前方側とリヤサブフレームの後端部より車体前方側とを接続する複数のフレーム接続部が設けられ、複数のフレーム接続部は、車体前後方向に略一定間隔で配置されることにより、複数のフレーム接続部によってリヤサイドフレームとリヤサブフレームとが分離することを有効に抑制することができ、前記効果をより有効に得ることができる。
【図面の簡単な説明】
【００２１】
【図１】本発明の実施形態に係る車両の後部車体構造を適用した車体の底面図である。
【図２】本発明の実施形態に係る車両の後部車体構造を適用した車体の側面図である。
【図３】リヤサブフレーム及びバッテリフレームを取り除いた図１に示す車体の底面図である。
【図４】図３の車体の要部を示す斜視図である。
【図５】図４におけるＹ５−Ｙ５線に沿った車体の断面図である。
【図６】リヤサブフレームの斜視図である。
【図７】図２のＡ部を示す車体の斜視図である。
【図８】リヤサイドフレームとリヤサブフレームとを接続するフレーム接続部を示す車体の断面図である。
【図９】リヤサイドフレームとリヤサブフレームとを接続するフレーム接続部の変形例を示す車体の断面図である。
【図１０】リヤサブフレームとバッテリフレームとを接続するフレーム接続部を示す車体の断面図である。
【図１１】バッテリフレームとフロントフロアフレームとを接続するフレーム接続部を示す車体の断面図である。
【発明を実施するための形態】
【００２２】
以下、本発明の実施形態について添付図面を参照しながら説明する。
【００２３】
図１は、本発明の実施形態に係る車両の後部車体構造を適用した車体の底面図、図２は、本発明の実施形態に係る車両の後部車体構造を適用した車体の側面図、図３は、リヤサブフレーム及びバッテリフレームを取り除いた図１に示す車体の底面図、図４は、図３の車体の要部を示す斜視図、図５は、図４におけるＹ５−Ｙ５線に沿った車体の断面図である。なお、図１では、駆動源としての駆動モータを省略して示している。
【００２４】
本発明の実施形態に係る車両の後部車体構造を適用した車体１は、電気自動車等の車体であり、図１から図５に示すように、車体後部に、車体前後方向に延びる左右一対のリヤサイドフレーム２と、左右一対のリヤサイドフレーム２の下方において左右のリヤサイドフレーム２に沿って車体前後方向に延びるリヤサブフレーム７０とが配設されている。
【００２５】
車体後部にはまた、図３に示すように、左右一対のリヤサイドフレーム２に架設されたリヤフロアパネル３と、リヤフロアパネル３の下面側において車幅方向に延びると共に車体前後方向に離間して左右一対のリヤサイドフレーム２間にそれぞれ架設されたＮｏ．４クロスメンバ４及びＮｏ．５クロスメンバ５とが配設されている。
【００２６】
Ｎｏ．４クロスメンバ４は、左右のリヤサイドフレーム２の車体前方側どうしを連結するように設けられている。Ｎｏ．５クロスメンバ５は、左右のリヤサイドフレーム２の車体前後方向中央側どうしを連結するように設けられ、リヤフロアパネル３に設けられた下方に窪むスペアタイヤ収納部３ａの下面側に配置されている。
【００２７】
リヤサイドフレーム２は、断面略コ字状に形成されてリヤフロアパネル３の下面側に取り付けられ、リヤフロアパネル３と協働して車体前後方向に延びる閉断面を構成している。Ｎｏ．４クロスメンバ４及びＮｏ．５クロスメンバ５はそれぞれ、断面略ハット状に形成されてリヤフロアパネル３の下面側に取り付けられ、リヤフロアパネル３と協働して車幅方向に延びる閉断面を構成している。
【００２８】
左右のリヤサイドフレーム２の後端部はそれぞれ、車体後部において車幅方向に延びるリヤバンパ（不図示）内に設けられたリヤバンパレイン６の両端部にそれぞれ装着されたクラッシュカン７に取り付けられている。クラッシュカン７は、後突時に車体後方から衝撃荷重が作用するときに折り畳むように潰れ変形してエネルギを吸収するようになっている。
【００２９】
リヤサイドフレーム２の前端部は、車体後方側から車体前方側に向かうにつれて車幅方向外方側且つ車体下方側に傾斜するキックアップフレーム１０の後端部に重ね合わせて接続され、キックアップフレーム１０の前端部は、車体前後方向に延びるフロントフロアフレーム１１の後端部に重ね合わせて接続されている。
【００３０】
左右のキックアップフレーム１０には、リヤフロアパネル３より車体前方側に設けられて車体後方側から車体前方側に向かうにつれて車体下方側に傾斜するセンタフロアパネル１３が架設され、左右のフロントフロアフレーム１１には、センタフロアパネル１３より車体前方側に設けられたフロントフロアパネル１４が架設されている。車体１では、フロントフロアパネル１４上に車室が設けられている。
【００３１】
キックアップフレーム１０は、断面略ハット状に形成されてセンタフロアパネル１３の下面側に取り付けられ、センタフロアパネル１３と協働して車体前後方向に延びる閉断面を構成している。フロントフロアフレーム１１は、断面略ハット状に形成されてフロントフロアパネル１４の下面側に取り付けられ、フロントフロアパネル１４と協働して車体前後方向に延びる閉断面を構成している。
【００３２】
フロントフロアパネル１４の下面側にはまた、車幅方向に延びる共に車体前後方向に離間して左右のフロントフロアフレーム１１間にそれぞれ架設された複数のクロスメンバ１５が取り付けられている。
【００３３】
図３に示すように、Ｎｏ．４クロスメンバ４の車体前方側に左右のフロントフロアフレーム１１間にＮｏ．３クロスメンバ１５が架設されている。Ｎｏ．３クロスメンバ１５は、断面略ハット状に形成されてフロントフロアパネル１４の下面側に取り付けられ、フロントフロアパネル１４と協働して車幅方向に延びる閉断面を構成している。左右のフロントフロアフレーム１１間に架設された他のクロスメンバについても、Ｎｏ．３クロスメンバ１５と同様に形成されている。
【００３４】
次に、本実施形態に係る車体１のリヤサイドフレーム２及びリヤサブフレーム７０について説明する。
図４及び図５に示すように、リヤサイドフレーム２は、下面部２ａと、下面部２ａの両側において下面部２ａから略直交する方向に延びる両側の側面部２ｂとを備えて断面略コ字状に形成されている。リヤサイドフレーム２はまた、両側の側面部２ｂにそれぞれリヤサイドフレーム２の外側に延びる両側のフランジ部２ｃが設けられ、両側のフランジ部２ｃがリヤフロアパネル３に取り付けられている。
【００３５】
本実施形態では、リヤサイドフレーム２は、車体前方側に配置される前側フレーム２０と、前側フレーム２０の車体後方側に配置される後側フレーム３０とによって車体前後方向に分割して構成され、前側フレーム２０の後端部と後側フレーム３０の前端部とが重ね合わせて接合されて形成されている。
【００３６】
前側フレーム２０と後側フレーム３０とはそれぞれ、下面部２１，３１と、下面部２１，３１の両側において下面部２１，３１から略直交する方向に延びる両側の側面部２２，３２とを備えて断面略コ字状に形成されている。また、前側フレーム２０と後側フレーム３０とには、両側の側面部２２，３２にそれぞれリヤサイドフレーム２の外側に延びる両側のフランジ部２３，３３が設けられ、両側のフランジ部２３，３３がリヤフロアパネル３に取り付けられている。
【００３７】
前側フレーム２０の後端部と後側フレーム３０の前端部とは、図５に示すように、前側フレーム２０の後端部の内部に後側フレーム３０の前端部が挿入された状態で重ね合わせられ、前側フレーム２０の後端部と後側フレーム３０の前端部との重ね合わせ部４１が溶接等によって結合されて取り付けられている。
【００３８】
本実施形態では、後側フレーム３０は、例えば後側フレーム３０を板厚１．４ｍｍの鋼板を用いてプレス成形すると共に前側フレーム２０を板厚１．６ｍｍの鋼板を用いてプレス成形するなど、前側フレーム２０より板厚が薄い鋼板を用いて形成され、前側フレーム２０より軸方向の圧縮に対する強度が低く設定されている。
【００３９】
なお、後側フレーム３０は、例えば後側フレーム３０を引張強度５９０ＭＰａ以上の５９０ＭＰａ級高張力鋼板を用いて形成すると共に前側フレーム２０を引張強度７８０ＭＰａ以上の７８０ＭＰａ級高張力鋼板を用いてプレス成形するなど、軸方向の圧縮に対する強度と相関を有する引張強度の異なる鋼板を用い、前側フレーム２０より引張強度が低い鋼板を用いて形成して前側フレーム２０より軸方向の圧縮に対する強度を低く設定するようにしてもよく、また前側フレーム２０より板厚が薄く引張強度が低い鋼板を用いて形成して前側フレーム２０より軸方向の圧縮に対する強度を低く設定するようにしてもよい。
【００４０】
前述したように、リヤサイドフレーム２間には、Ｎｏ．５クロスメンバ５が架設されており、Ｎｏ．５クロスメンバ５は、図４及び図５に示すように、リヤサイドフレーム２における前側フレーム２０の後端部と後側フレーム３０の前端部との重ね合わせ部４１に接続されている。左右のリヤサイドフレーム２は同様に形成され、Ｎｏ．５クロスメンバ５は、一方のリヤサイドフレーム２の重ね合わせ部４１と他方のリヤサイドフレーム２の重ね合わせ部４１とに両端部がそれぞれ接続されている。
【００４１】
車体１では、前述したように、車体後部にリヤサブフレーム７０が配設されており、リヤサブフレーム７０は、図１及び図２に示すように、駆動源としての駆動モータ６１を支持するように設けられている。リヤサブフレーム７０より車体前方側にはまた、駆動モータ６１に供給する電力を貯蔵するバッテリ６２を支持するバッテリフレーム１００が配設されている。
【００４２】
図６は、リヤサブフレームの斜視図である。図１、図２及び図６に示すように、リヤサブフレーム７０は、リヤサイドフレーム２に沿って車体前後方向に略水平方向に延びる上側水平フレーム７１と、上側水平フレーム７１の前端部から下方に略垂直方向に延びる垂直フレーム７４と、垂直フレーム７４の下端部に接続されて車体前方側に略水平方向に延びる下側水平フレーム７５とを備えている。
【００４３】
上側水平フレーム７１は、左右のリヤサイドフレーム２に沿ってそれぞれ車体前後方向に延びる左右の上側フレーム部７２と、車幅方向に延びて左右の上側フレーム部７２の車体前後方向中央側どうしを接続するように左右の上側フレーム部７２間に架設される上側クロス部７３とを備えている。
【００４４】
上側水平フレーム７１と垂直フレーム７４との間には、上側水平フレーム７１の前端部、具体的には上側フレーム部７２の前端部より車体後方側と垂直フレーム７４の上端部より車体下方側とを接続する架橋部８０が設けられ、架橋部８０は、上側フレーム部７２に、上側クロス部７３が接続される部分と車体前後方向において略同じ位置に接続されている。架橋部８０は、板状部材によって形成され、車体前方側に向かうにつれて車体下方側に傾斜するように設けられている。
【００４５】
下側水平フレーム７５は、左右の垂直フレーム７４の下端部に接続されて車幅方向に延びる下側リヤクロス部７６と、下側リヤクロス部７６から車体前方側に延びる２つの下側フレーム部７７と、下側フレーム部７７の車幅方向両側と下側フレーム部７７とをそれぞれ接続する傾斜フレーム部７８と、２つの下側フレーム部７７の前端部に接続されて車幅方向に延びる下側フロントクロス部７９とを備えている。
【００４６】
リヤサブフレーム７０では、上側水平フレーム７１、垂直フレーム７４、下側水平フレーム７５がそれぞれ、金属材料を用いて板厚が等しい閉断面に構成され、架橋部８０は、金属材料を用いて板状に形成され、上側水平フレーム７１、垂直フレーム７４、下側水平フレーム７５及び架橋部８０が接合されて形成されている。なお、架橋部８０は、閉断面に構成するようにしてもよい。
【００４７】
このようにして構成されるリヤサブフレーム７０では、図２に示すように、車体後方側に設けられて車体後方からの衝撃荷重の作用時に潰れ変形することを許容する潰れ変形許容部８５と、潰れ変形許容部８５の車体前方側に設けられた潰れ変形非許容部８６とが備えられ、潰れ変形許容部８５は、上側水平フレーム７１における上側クロス部７３及び架橋部８０が接続される部分より車体後方側によって形成され、潰れ変形非許容部８６は、上側水平フレーム７１における上側クロス部７３及び架橋部８０が接続される部分から車体前方側の部分によって形成されている。
【００４８】
本実施形態では、リヤサブフレーム７０は、上側水平フレーム７１、垂直フレーム７４、下側水平フレーム７５がそれぞれ、板厚が等しい閉断面に構成されているが、リヤサブフレーム７０の潰れ変形許容部８５を、リヤサブフレーム７０の潰れ変形非許容部８６より板厚が薄い閉断面に構成し、リヤサブフレーム７０の潰れ変形許容部８５及び潰れ変形非許容部８６を形成することも可能である。また、リヤサブフレーム７０の潰れ変形許容部８５を、リヤサブフレーム７０の潰れ変形非許容部８６より引張強度が低い鋼板を用いて閉断面に構成し、リヤサブフレーム７０の潰れ変形許容部８５及び潰れ変形非許容部８６を形成することも可能である。
【００４９】
図７は、図２のＡ部を示す車体の斜視図であり、図７では、リヤサイドフレーム２に架設されるリヤフロアパネル３を省略して示している。リヤサブフレーム７０の後端部は、リヤサイドフレーム２の後端部と同様に、リヤバンパレイン６の両端部にそれぞれ装着されたクラッシュカン７に取り付けられている。
【００５０】
図７に示すように、クラッシュカン７の前端部には車体前後方向と略直交する方向に延びる第１プレート部材８が溶接等によって固着され、第１プレート部材８は、略矩形状に形成されると共にその周縁部に４つのボルト挿通穴が形成されている。
【００５１】
一方、リヤサイドフレーム２の後端部に、車体前後方向と略直交する方向に延びる第２プレート部材５２が溶接等によって固着され、第２プレート部材５２は、第１プレート部材８の略半分の大きさで略矩形状に形成されると共にリヤサイドフレーム２に固着される部分の両側に２つのボルト挿通穴が形成されている。
【００５２】
また、リヤサブフレーム７０の後端部に、車体前後方向と略直交する方向に延びる第３プレート部材５３が溶接等によって固着され、第３プレート部材５３は、第１プレート部材８の略半分の大きさで略矩形状に形成されると共にリヤサブフレーム７０に固着される部分の両側に２つのボルト挿通穴が形成されている。
【００５３】
第２プレート部材５２と第３プレート部材５３とは、上下に配置された状態で第１プレート部材８に当接され、第１プレート部材８と第２プレート部材５２とが、ボルト挿通穴に挿通されるボルトＢ１とナットとを用いて締結され、第１プレート部材８と第３プレート部材５３とが、ボルト挿通穴に挿通されるボルトＢ２とナットとを用いて締結されている。
【００５４】
これにより、クラッシュカン７とリヤサイドフレーム２とが結合されると共にクラッシュカン７とリヤサブフレーム７０とが結合され、リヤサイドフレーム２の後端部とリヤサブフレーム７０の後端部とがプレート部材８，５２，５３を介して連結されている。
【００５５】
図８は、リヤサイドフレームとリヤサブフレームとを接続するフレーム接続部を示す車体の断面図であり、図８では、図２におけるＹ８−Ｙ８線に沿った車体の断面を示している。図２に示すように、車体１では、リヤサイドフレーム２の後端部とリヤサブフレーム７０の後端部とが連結されると共に、リヤサイドフレーム２の後端部より車体前方側とリヤサブフレーム７０の後端部より車体前方側とを接続するフレーム接続部、本実施形態では３つのフレーム接続部５４，５５，５６が設けられている。
【００５６】
図８に示すように、リヤサイドフレーム２とリヤサブフレーム７０とを接続するフレーム接続部５４では、リヤサイドフレーム２には、下面部２ａにボルト挿通穴２ｄが形成されると共にボルト挿通穴２ｄに対応して下面部２ａの上面側にナットＮ３が溶接等によって固着されている。
【００５７】
一方、リヤサブフレーム７０の上側水平フレーム７１、具体的には上側フレーム部７２は、上面部８１ａと両側の側面部８１ｂとを備えて断面略コ字状に形成された第１フレーム部材８１と、下面部８２ａと両側の側面部８２ｂとを備えて断面略コ字状に形成された第２フレーム部材８２とから形成され、第１フレーム部材８１の両側の側面部８１ｂと第２フレーム部材８２の両側の側面部８２ｂとがそれぞれ溶接等によって結合されて閉断面に構成されている。
【００５８】
上側フレーム部７２は、第１フレーム部材８１の上面部８１ａによって上面部が形成され、第２フレーム部材８２の下面部８２ａによって下面部が形成され、第１フレーム部材８１の両側の側面部８１ｂ及び第２フレーム部材８２の両側の側面部８２ｂによって両側の側面部が形成され、断面略矩形状に形成されている。
【００５９】
上側フレーム部７２には、略円筒状に形成されてボルトが挿通される筒状部材８３が溶接等によって固着されている。筒状部材８３は、一端側に設けられた基部８３ａと、他端側に設けられて基部８３ａより外径及び内径が小さく形成された先端部８３ｂとを備え、基部８３ａと先端部８３ｂとの間に段差部８３ｃが設けられている。
【００６０】
上側フレーム部７２には、上面部８１ａに筒状部材８３の先端部８３ｂが挿通される円形状の開口部８１ｃが形成されると共に下面部８２ａにボルト挿通穴８２ｃが形成されている。筒状部材８３は、上側フレーム部７２に対して、基部８３ａが上側フレーム部７２内に配置されると共に先端部８３ｂが開口部８１ｃから突出した状態で、段差部８３ｃが上面部８１ａに溶接等によって固着されている。
【００６１】
そして、図８に示すように、筒状部材８３の先端部８３ｂがリヤサイドフレーム２の下面部２ａに当接された状態で、ボルトＢ３を、上側フレーム部７２の下方側からナットＮ３に螺合させ、リヤサイドフレーム２とリヤサブフレーム７０とが接続されている。
【００６２】
フレーム接続部５５，５６についても、フレーム接続部５４と同様に形成され、３つのフレーム接続部５４，５５，５６は、図２に示すように、車体前後方向に略一定間隔で配置されている。フレーム接続部５４、５５、５６は、上側フレーム部７２の車体前方側、車体前後方向中央側、車体後方側をそれぞれリヤサイドフレーム２と接続するように設けられ、フレーム接続部５４は、リヤサイドフレーム２の重ね合わせ部４１においてリヤサイドフレーム２とリヤサブフレーム７０とを接続するように設けられている。
【００６３】
前述したように、リヤサブフレーム７０は、車体後方側に設けられて車体後方からの衝撃荷重の作用時に潰れ変形することを許容する潰れ変形許容部８５と、潰れ変形許容部８５の車体前方側に設けられた潰れ変形非許容部８６とを備えている。
【００６４】
リヤサイドフレーム２についても、車体後方側に設けられて車体後方からの衝撃荷重の作用時に潰れ変形することを許容する潰れ変形許容部８７と、潰れ変形許容部８７の車体前方側に設けられた潰れ変形非許容部８８とが備えられ、潰れ変形許容部８７は、重ね合わせ部４１を除く後側フレーム３０によって形成され、潰れ変形非許容部８８は、重ね合わせ部４１を含む前側フレーム２０によって形成されている。
【００６５】
図２に示すように、フレーム接続部５４は、リヤサイドフレーム２の潰れ変形非許容部８８とリヤサブフレーム７０の潰れ変形非許容部８６とを接続するように設けられ、フレーム接続部５５は、リヤサイドフレーム２の潰れ変形許容部８７とリヤサブフレーム７０の潰れ変形非許容部８６とを接続するように設けられ、フレーム接続部５６は、リヤサイドフレーム２の潰れ変形許容部８７とリヤサブフレーム７０の潰れ変形許容部８５とを接続するように設けられている。
【００６６】
このように、フレーム接続部５４は、リヤサイドフレーム２とリヤサブフレーム７０の潰れ変形非許容部８６とを接続するように設けられ、具体的には、リヤサイドフレーム２の潰れ変形非許容部８８とリヤサブフレーム７０の潰れ変形非許容部８６とを接続するように設けられている。
【００６７】
図９は、リヤサイドフレームとリヤサブフレームとを接続するフレーム接続部の変形例を示す車体の断面図である。図９に示すフレーム接続部５４´では、リヤサイドフレーム２の下面部２ａに下方側に突出した突出部２ａ´が設けられ、突出部２ａ´にボルト挿通穴２ｄが形成されると共にボルト挿通穴２ｄに対応してナットＮ３が溶接されている。
【００６８】
一方、リヤサブフレーム７０の上側フレーム部７２には、上面部８１ａにボルト挿通穴８１ｃ´が形成されると共に下面部８２ａにボルト挿通穴８２ｃが形成され、略円筒状に形成されてボルトが挿通される筒状部材８３´が上側フレーム部７２の上面部８１ａに固着されている。
【００６９】
そして、図９に示すように、リヤサイドフレーム２の下面部２ａに設けられた突出部２ａ´がリヤサブフレーム７０に当接された状態で、ボルトＢ３を、上側フレーム部７２の下方側からナットＮ３に螺合させ、リヤサイドフレーム２とリヤサブフレーム７０とが接続される。
【００７０】
このように、リヤサイドフレーム２の下面部２ａの一部を下方側に突出させてリヤサブフレーム７０と当接させた状態でボルトとナットとを締結させ、リヤサイドフレーム２の後端部より車体前方側とリヤサブフレーム７０の後端部より車体前方側とを接続することも可能である。
【００７１】
図１０は、リヤサブフレームとバッテリフレームとを接続するフレーム接続部を示す車体の断面図であり、図１におけるＹ１０−Ｙ１０線に沿った車体の断面図である。図１０に示すように、リヤサブフレーム７０の下側水平フレーム７５、具体的には下側フレーム部７７についても、上面部９１ａと両側の側面部９１ｂとを備えて断面略コ字状に形成された第１フレーム部材９１と、下面部９２ａと両側の側面部９２ｂとを備えて断面略コ字状に形成された第２フレーム部材９２とから形成され、第１フレーム部材９１の両側の側面部９１ｂと第２フレーム部材９２の両側の側面部９２ｂとがそれぞれ溶接等によって結合されて閉断面に構成されている。
【００７２】
下側フレーム部７７は、第１フレーム部材９１の上面部９１ａによって上面部が形成され、第２フレーム部材９２の下面部９２ａによって下面部が形成され、第１フレーム部材９１の両側の側面部９１ｂ及び第２フレーム部材９２の両側の側面部９２ｂによって両側の側面部が形成され、断面略矩形状に形成されている。
【００７３】
図１に示すように、バッテリフレーム１００は、車体前方側に配置されて車幅方向に延びる前方フレーム（不図示）と、車体後方側に配置されて車幅方向に延びる後方フレーム１００ａと、前方フレームの車幅方向両側と後方フレーム１００ａの車幅方向両側とをそれぞれ接続して車体前後方向に延びる両側の側方フレーム１００ｂとを備えている。
【００７４】
前方フレーム、後方フレーム１００ａ及び両側の側方フレーム１００ｂはそれぞれ、図１０に示すように、上面部１０１ａと、上面部１０１ａの両側において上面部１０１ａから略直交する方向に延びる両側の側面部１０１ｂと、両側の側面部１０１ｂからそれぞれ外側に延びる両側のフランジ部１０１ｃとを備えて断面略ハット状に形成された第１フレーム部材１０１と、平板状に形成された第２フレーム部材１０２とから形成され、第１フレーム部材１０１の両側のフランジ部１０１ｃを第２フレーム部材１０２に重ね合わせて溶接等によって結合して閉断面に構成されている。
【００７５】
リヤサブフレーム７０とバッテリフレーム１００とを接続するフレーム接続部５７では、バッテリフレーム１００、具体的には後方フレーム１００ａには、第１フレーム部材１０１のフランジ部１０１ｃにボルト挿通穴１０１ｄが形成されると共にボルト挿通穴１０１ｄに対応してフランジ部１０１ｃの上面側にナットＮ４が溶接等によって固着され、第２フレーム部材１０２にボルト挿通穴１０２ａが形成されている。
【００７６】
一方、リヤサブフレーム７０の下側水平フレーム７５、具体的には下側フレーム部７７には、上面部９１ａにボルト挿通穴９１ｃが形成されると共に下面部９２ａにボルト挿通穴９２ｃが形成され、略円筒状に形成されてボルトが挿通される筒状部材１０３が下側フレーム部７７の上面部９１ａに固着されている。
【００７７】
そして、図１０に示すように、バッテリフレーム１００の第２フレーム部材１０２がリヤサブフレーム７０の下側フレーム部７７に当接された状態で、ボルトＢ４を、下側フレーム部７７の下方側からナットＮ４に螺合させ、リヤサブフレーム７０とバッテリフレーム１００とが接続されている。リヤサブフレーム７０の他方の下側フレーム部７７についても同様に、バッテリフレーム１００の車体後方側に接続されている。
【００７８】
図１１は、バッテリフレームとフロントフロアフレームとを接続するフレーム接続部を示す車体の断面図であり、図１におけるＹ１１−Ｙ１１線に沿った車体の断面図である。バッテリフレーム１００、具体的には側方フレーム１００ｂは、フロントフロアフレーム１１の下方に沿って配置され、フロントフロアフレーム１１に接続されている。
【００７９】
図１１に示すように、フロントフロアフレーム１１は、下面部１１ａと、下面部１１ａの両側において下面部１１ａから略直交する方向に延びる両側の側面部１１ｂと、両側の側面部１１ｂからそれぞれ外側に延びる両側のフランジ部１１ｃとを備えて断面略ハット状に形成され、両側のフランジ部１１ｃがフロントフロアパネル１４の下面側に結合されて取り付けられている。
【００８０】
バッテリフレーム１００とフロントフロアフレーム１１とを接続するフレーム接続部５８では、フロントフロアフレーム１１には、下面部１１ａにボルト挿通穴１１ｄが形成されると共にボルト挿通穴１１ｄに対応して下面部１１ａの上面側にナットＮ５が溶接等によって固着されている。
【００８１】
一方、バッテリフレーム１００、具体的には側方フレーム１００ｂには、第１フレーム部材１０１の上面部１０１ａにボルト挿通穴１０１ｅが形成されると共に第２フレーム部材１０２にボルト挿通穴１０２ｂが形成され、円筒状に形成されてボルトが挿通される筒状部材１１３が第１フレーム部材１０１の上面部１０１ａに固着されている。
【００８２】
そして、図１１に示すように、フロントフロアフレーム１１の下面部１１ａにバッテリフレーム１００の第１フレーム部材１０１の上面部１０１ａが当接された状態で、ボルトＢ５を、バッテリフレーム１００の下方側からナットＮ５に螺合させ、バッテリフレーム１００とフロントフロアフレーム１１とが接続されている。
【００８３】
本実施形態では、バッテリフレーム１００、具体的には側方フレーム１００ｂとフロントフロアフレーム１１とを接続する複数のフレーム接続部５８が車体前後方向に離間して設けられている。なお、バッテリフレーム１００の前方フレームは、例えば車体前方側に配設されたフロントサブフレームを介してフロントサイドフレームなどの車体部材に接続されている。
【００８４】
このようにして構成される車体１に、車体後方から衝撃荷重が作用する場合、クラッシュカン７の潰れ変形後にリヤサイドフレーム２に荷重が入力されると、リヤサイドフレーム２は、潰れ変形非許容部８８が潰れ変形する前に潰れ変形許容部８７が潰れ変形し、車体後方側から潰れ変形してエネルギを吸収する。
【００８５】
車体１ではまた、クラッシュカン７の潰れ変形後にリヤサブフレーム７０にも荷重が入力され、リヤサブフレーム７０に荷重が入力されると、リヤサブフレーム７０は、潰れ変形非許容部８６が潰れ変形する前に潰れ変形許容部８５が潰れ変形し、車体後方側から潰れ変形してエネルギを吸収する。
【００８６】
車体１に車体後方から衝撃荷重が作用する場合、車体１ではまた、フレーム接続部５４，５５，５６によって、リヤサイドフレーム２とリヤサブフレーム７０とが分離することが抑制されている。
【００８７】
このように、本実施形態に係る車両の後部車体構造では、リヤサイドフレーム２の下方に配設されるリヤサブフレーム７０には、車体後方側の潰れ変形許容部８５と車体前方側の潰れ変形非許容部８６とが備えられ、リヤサイドフレーム２の後端部とリヤサブフレーム７０の後端部とがプレート部材８，５２，５３を介して連結されると共に、リヤサイドフレーム２の後端部より車体前方側とリヤサブフレーム７０の後端部より車体前方側とを接続するフレーム接続部５４が設けられ、フレーム接続部５４は、リヤサイドフレーム２とリヤサブフレーム７０の潰れ変形非許容部８６とを接続するように設けられる。
【００８８】
これにより、後突時に、車体後方からの衝撃荷重の作用時にリヤサイドフレーム２及びリヤサブフレーム７０に荷重が入力される際に、フレーム接続部５４はリヤサイドフレーム２とリヤサブフレーム７０の潰れ変形非許容部８６とを接続するように設けられているので、フレーム接続部５４によってリヤサイドフレーム２とリヤサブフレーム７０とが分離することを抑制してリヤサイドフレーム２及びリヤサブフレーム７０を車体後方側から潰れ変形させることができ、後突時におけるエネルギ吸収性能を高めて車室内の乗員の安全性を高めることができる。
【００８９】
また、リヤサイドフレーム２は、車体後方側の潰れ変形許容部８７と車体前方側の潰れ変形非許容部８８とを備え、フレーム接続部５４は、リヤサイドフレーム２の潰れ変形非許容部８８とリヤサブフレーム７０の潰れ変形非許容部８６とを接続するように設けられる。
【００９０】
これにより、後突時に、車体後方からの衝撃荷重の作用時にリヤサイドフレーム２及びリヤサブフレーム７０に荷重が入力される際に、フレーム接続部５４はリヤサイドフレーム２の潰れ変形非許容部８８とリヤサブフレーム７０の潰れ変形非許容部８６とを接続するように設けられているので、フレーム接続部５４によってリヤサイドフレーム２とリヤサブフレーム７０とが分離することを抑制してリヤサイドフレーム２及びリヤサブフレーム７０を車体後方側から潰れ変形させることができ、後突時におけるエネルギ吸収性能を高めて車室内の乗員の安全性を高めることができる。
【００９１】
また、リヤサブフレーム７０は、上側水平フレーム７１と、上側水平フレーム７１の前端部から下方に延びる垂直フレーム７４と、垂直フレーム７４の下端部に接続されて車体前方側に延びる下側水平フレーム７５とを備え、上側水平フレーム７１の前端部より車体後方側と垂直フレーム７４の上端部より車体下方側とを接続する架橋部８０が設けられる。
【００９２】
これにより、後突時に、車体後方からの衝撃荷重の作用時にリヤサブフレーム７０に荷重が入力される際に、上側水平フレーム７１に入力される荷重を、上側水平フレーム７１から架橋部８０を通じて垂直フレーム７４に伝達して分散させることができるので、上側水平フレーム７１と垂直フレーム７４との間の角部を通じて伝達される荷重を低減して上側水平フレーム７１と垂直フレーム７４との間の角部が変形することを抑制することができる。
【００９３】
また、リヤサブフレーム７０の車体前方側にバッテリフレーム１００が配設され、リヤサブフレーム７０の車体前方側がバッテリフレーム１００と接続されることにより、後突時にリヤサブフレーム７０に入力される荷重をバッテリフレーム１００に伝達して分散させることができる。
【００９４】
また、リヤサイドフレーム２の後端部より車体前方側とリヤサブフレーム７０の後端部より車体前方側とを接続する複数のフレーム接続部５４，５５，５６が設けられ、複数のフレーム接続部５４，５５，５６は、車体前後方向に略一定間隔で配置されることにより、複数のフレーム接続部５４，５５，５６によってリヤサイドフレーム２とリヤサブフレーム７０とが分離することを有効に抑制することができる。
【００９５】
本発明は、例示された実施の形態に限定されるものではなく、本発明の要旨を逸脱しない範囲において、種々の改良及び設計上の変更が可能である。
【産業上の利用可能性】
【００９６】
以上のように、本発明によれば、リヤサイドフレームとリヤサブフレームとを備えた車両の後部車体構造において、後突時におけるエネルギ吸収性能を高めて車室内の乗員の安全性を向上させることが可能となるから、この種の車両の製造産業分野において好適に利用される可能性がある。
【符号の説明】
【００９７】
１  車体
２  リヤサイドフレーム
８，５２，５３  プレート部材
５４，５４´，５５，５６  フレーム接続部
６２  バッテリ
７０  リヤサブフレーム
７１  上側水平フレーム
７４  垂直フレーム
７５  下側水平フレーム
８０  架橋部
８５  リヤサブフレームの潰れ変形許容部
８６  リヤサブフレームの潰れ変形非許容部
８７  リヤサイドフレームの潰れ変形許容部
８８  リヤサイドフレームの潰れ変形非許容部
１００  バッテリフレーム
【図１】
2018039314.tif 000003
【図２】
2018039314.tif 000004
【図３】
2018039314.tif 000005
【図４】
2018039314.tif 000006
【図５】
2018039314.tif 000007
【図６】
2018039314.tif 000008
【図７】
2018039314.tif 000009
【図８】
2018039314.tif 000010
【図９】
2018039314.tif 000011
【図１０】
2018039314.tif 000012
【図１１】
2018039314.tif 000013